(57)【要約】【課題】  小型のマウンタを使用して、リフロー処理によりシールドカバーを回路基板の裏面に半田付け固着すること。【解決手段】  ボトムプレートと対向して配置され、回路基板の裏面上に搭載された信号処理回路を電磁シールドするシールドカバーの天井部は、当該天井部の中央部に設けられて、マウンタの吸着ノズルで吸着されるマウンタ吸着部と、側壁部の端から側壁部の内側へ設けられたリング状の外縁部と、マウンタ吸着部と外縁部とを繋ぐ複数本の梁部とから構成される。信号処理回路の電磁シールドを、シールドカバーとボトムプレートとの双方で行うようにした。【選択図】    図７
2011010228.tif 000002
【特許請求の範囲】
【請求項１】
互いに対向する主面と裏面とを持つ回路基板と、
前記回路基板の主面上に搭載されて、電波を受信する平面アンテナ素子と、
前記回路基板の裏面上に搭載されて、前記平面アンテナ素子と接続された信号処理回路と、
前記回路基板の裏面上に取り付けられて、前記信号処理回路を電磁シールドするシールドカバーと、
該シールドカバーと対向して配置されたボトムプレートとを有するアンテナ装置において、
前記シールドカバーは、前記回路基板の裏面から該回路基板の延在する平面と直角に延在する筒状の側壁部と、該側壁部の端で前記回路基板の延在する平面と平行に延在し、かつ前記ボトムプレートと対向する天井部とを備え、
前記天井部は、当該天井部の中央部に設けられて、マウンタの吸着ノズルで吸着されるマウンタ吸着部と、前記側壁部の端から前記側壁部の内側へ設けられたリング状の外縁部と、前記マウンタ吸着部と前記外縁部とを繋ぐ複数本の梁部とから成り、
前記信号処理回路の電磁シールドを、前記シールドカバーと前記ボトムプレートとの双方で行うようにしたことを特徴とするアンテナ装置。
【請求項２】
前記側壁部は矩形筒状をしており、前記外縁部は矩形リング状をしている、請求項１に記載のアンテナ装置。
【請求項３】
前記複数本の梁部は、前記矩形リング状の外縁部の四隅から前記マウンタ吸着部へ向けて延在するＸ字形の４本の梁部から成る、請求項２に記載のアンテナ装置。
【請求項４】
前記シールドカバーの前記筒状の側壁部は、開口を持ち、
前記アンテナ装置は、前記開口を介して前記シールドカバー内に先端部が挿入されて、前記回路基板の裏面上に半田付けされる同軸ケーブルを更に有する、
請求項１乃至３のいずれか１つに記載のアンテナ装置。
【請求項５】
前記シールドカバーは、前記同軸ケーブルの先端部を保持するための保持片を更に有する、請求項４に記載のアンテナ装置。
【請求項６】
前記アンテナ装置は、前記電波として、ＧＰＳ衛星から送信されたＧＰＳ信号を受信するための汎地球測位システム（ＧＰＳ）アンテナ装置から成る、請求項１乃至５のいずれか１つに記載のアンテナ装置。
【請求項７】
前記アンテナ装置は、前記電波として、ＳＤＡＲＳ衛星から送信されたＳＤＡＲＳ信号を受信するための衛星デジタルラジオ放送サービス（ＳＤＡＲＳ）アンテナ装置から成る、請求項１乃至５のいずれか１つに記載のアンテナ装置。
【請求項８】
ボトムプレートと対向して配置され、回路基板の裏面上に搭載された信号処理回路を電磁シールドするシールドカバーであって、
前記回路基板の裏面から該回路基板の延在する平面と直角に延在する筒状の側壁部と、該側壁部の端で前記回路基板の延在する平面と平行に延在し、かつ前記ボトムプレートと対向する天井部とを備え、
前記天井部は、当該天井部の中央部に設けられて、マウンタの吸着ノズルで吸着されるマウンタ吸着部と、前記側壁部の端から前記側壁部の内側へ設けられたリング状の外縁部と、前記マウンタ吸着部と前記外縁部とを繋ぐ複数本の梁部とから成り、
前記信号処理回路の電磁シールドを、前記シールドカバーと前記ボトムプレートとの双方で行うようにしたことを特徴とするシールドカバー。
【請求項９】
前記側壁部は矩形筒状をしており、前記外縁部は矩形リング状をしている、請求項８に記載のシールドカバー。
【請求項１０】
前記複数本の梁部は、前記矩形リング状の外縁部の四隅から前記マウンタ吸着部へ向けて延在するＸ字形の４本の梁部から成る、請求項９に記載のシールドカバー。
【請求項１１】
前記筒状の側壁部は、同軸ケーブルの先端部が挿入される開口を持つ、請求項８乃至１０のいずれか１つに記載のシールドカバー。
【請求項１２】
前記同軸ケーブルの先端部を保持するための保持片を更に有する、請求項１１に記載のシールドカバー。
【請求項１３】
互いに対向する第１の面及び第２の面を持つ回路基板を用意する工程と、
前記回路基板の第１の面上にマスクを使用して所定の箇所に半田ペーストを塗布する工程と、
前記回路基板の第１の面上に信号処理回路を構成する複数の実装部品を実装する工程と、
前記回路基板の第１の面上に、前記信号処理回路をシールドするためのシールドカバーを吸着ノズルで吸着して搭載する工程であって、前記シールドカバーは、前記回路基板の第１の面から該回路基板の延在する方向と直角に延在する筒状の側壁部と、該側壁部の端で前記回路基板の延在する方向と平行に延在する天井部とを備え、前記天井部は、当該天井部の中央部に設けられて、前記吸着ノズルで吸着されるマウンタ吸着部と、前記側壁部の端から前記側壁部の内側へ設けられたリング状の外縁部と、該マウンタ吸着部と前記外縁部とを繋ぐ複数の梁部とから成る、工程と、
リフロー処理により、前記複数の実装部品と前記シールドカバーとを前記回路基板の第１の面上に半田固着する工程と、
電波を受信する平面アンテナ素子を前記回路基板の第２の面上に搭載して、前記平面アンテナ素子を前記信号処理回路と電気的に接続する工程と、
を含むアンテナモジュールの組立方法。
【請求項１４】
前記シールドカバーの前記側壁部は、同軸ケーブルの先端部が挿入される開口を持ち、
前記開口を介して前記シールドカバー内に挿入される前記同軸ケーブルの先端部で露出している中心導体と外部導体とを、前記回路基板の第１の面上に半田付けにより接続する工程を更に含む、請求項１３に記載のアンテナモジュールの組立方法。
【発明の詳細な説明】
【技術分野】
【０００１】
本発明は、人工衛星から送信された衛星信号を受信するアンテナ装置に関し、特に、アンテナ装置に使用されるシールドカバーおよびアンテナモジュールの組立方法に関する。
【背景技術】
【０００２】
人工衛星から送信された衛星信号を受信するアンテナ装置が種々提案されている。例えば、そのようなアンテナ装置としては、ＧＰＳ衛星から送信されたＧＰＳ信号を受信するＧＰＳアンテナ装置や、ＳＤＡＲＳ衛星から送信されたＳＤＡＲＳ信号を受信するＳＤＡＲＳアンテナ装置が挙げられる。
【０００３】
例えば、近年、地球軌道を周回する複数の人工衛星からそれぞれ送信された信号波を受信機によって受信し、受信した信号波に含まれる情報に基づいて受信機自身の現在位置を検出するシステム、いわゆる汎地球測位システムが普及しつつある。なお、このようなシステムは、日本国及びアメリカ合衆国などの国々では、一般にＧＰＳ（Global Positioning System）と称されており、アメリカ合衆国国防総省が管理するＧＰＳ衛星を利用するものが一般的である。同様なシステムとしては、欧州で利用されている「ガリレオ」、ロシアで利用されている「グロナス」などがある。なお、ここでは、人工衛星を用いた測位システム、この測位システムで用いられる人工衛星、この人工衛星から送信される信号波、この信号波を受信する受信機などを、それぞれ便宜的にＧＰＳ、ＧＰＳ衛星、ＧＰＳ信号、ＧＰＳ受信機などと称することとする。
【０００４】
ＧＰＳは、高精度且つほぼリアルタイムでＧＰＳ受信機自身の現在位置を検出することができる。このことから、ＧＰＳは、例えば自動車や航空機、或いは携帯型電話機などの移動体にＧＰＳ受信機を搭載し、この移動体の現在位置を測定する用途に主として用いられている。
【０００５】
現在、自動車に搭載して好適な、いわゆる車載用のＧＰＳ受信機が急速に普及しつつある。ＧＰＳ受信機を自動車に搭載するに際しては、ＧＰＳ信号を受信するためのＧＰＳ受信用のアンテナ装置が例えば屋根（ルーフ）上などの車外に設置される場合が多い。
【０００６】
一方、ＳＤＡＲＳ（Satellite Digital Audio Radio Service）とは、米国における衛星（以下、「ＳＤＡＲＳ衛星」と呼ぶ）を使用したデジタル放送によるサービスである。すなわち、米国においては、ＳＤＡＲＳ衛星からの衛星波または地上波を受信して、デジタルラジオ放送を聴取可能にしたデジタルラジオ受信機が開発され、実用化されている。現在、米国では、ＸＭとシリウスという２つの放送局が計２５０チャネル以上のラジオ番組を全国に提供している。このデジタルラジオ受信機は、一般には、自動車等の移動体に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚ帯なので、そのときの受信波長（共振波長）λは約１２８．３ｍｍである。尚、地上波は、衛星波を一旦、地球局で受信した後、周波数を若干シフトし、直線偏波の電波で再送信したものである。すなわち、衛星波は円偏波の電波であるのに対して、地上波は直線偏波の電波である。
【０００７】
ＸＭ衛星ラジオ用アンテナ装置は、静止衛星２基より円偏波の電波を受信し、不感地帯では地上直線偏波設備により直線偏波の電波を受信する。一方、シリウス衛星ラジオ用アンテナ装置は、周回衛星３基（シンクロ型）より円偏波の電波を受信し、不感地帯では地上直線偏波設備により直線偏波の電波を受信する。
【０００８】
このようにデジタルラジオ放送では、約２．３ＧＨｚ帯の周波数の電波が使用されるので、その電波を受信するアンテナ装置は、室外に設置される場合が多い。従って、デジタルラジオ受信機を自動車等の移動体に搭載するには、そのアンテナ装置を移動体の屋根等の車室外に取り付けられる場合が多い。
【０００９】
このような人工衛星から送信された衛星信号を受信するアンテナ装置は、種々提案されている。例えば、特開２００６−２３７９１７号公報（特許文献１）は、パッキン部材をトップカバーに対して容易に位置決めすることができるアンテナ装置を開示している。また、特開２００６−２４６７１９号公報（特許文献２）は、組み立て性の良いアンテナ装置を開示している。更に、特開２００６−２３７９５１号公報（特許文献３）は、防水機能を向上させることができるアンテナ装置を開示している。
【００１０】
また、特開２００６−３４４７１６号公報（特許文献４）は、アンテナ装置に用いられるシールドカバーを開示している。シールドカバーは、回路基板の裏面に半田ごてによる手作業により半田付けすることにより、回路基板の裏面上に取り付けられる。
【００１１】
特開２００８−２８８５２３号公報（特許文献５）は、シールドカバーのシート基板への固着を効率化することを可能とした、電子部品を開示している。特許文献５に開示されたシールドカバーは、４角形の蓋状を成し、４つの周端辺を有している。特許文献５では、シールドカバーをシート基板に固着する場合、半田をシート基板側に塗布するのではなく、シールドカバー側に付着させている。すなわち、クリーム状の半田ペースト（クリーム半田）を供給した転写テーブル内に、自動部品搭載機（マウンタ）のホルダ（吸着ノズル）によりシールドカバーを保持した状態で、シールドカバーの周端辺部を浸漬して、シールドカバーの周端辺にクリーム半田を付着させる。この状態で、自動部品搭載機（マウンタ）によりシールドカバーをシート基板のシールドパッドに対応して移動配置する。そして、シールドカバーがシート基板上に搭載された状態でリフロー処理を行い、シールドカバーをシート基板上に半田付け固着している。
【００１２】
特開２００６−３４４８１４号公報（特許文献６）は、回路基板のシールド対象領域を覆ってシールドするシールド部材の枠体およびシールド部材の取り付け方法を開示している。特許文献６において、シールド部材は、シールドカバーと枠体とから成る。シールド部材の枠体は、回路基板のシールド対象領域の端縁部に立設してシールド対象領域を囲む縁枠壁部を有する上面開口の形態を持つ。枠体は、その上面開口を塞ぐ態様で当該枠体に組み合わされるシールドカバーと共に回路基板のシールド対象領域のシールド部材を形成する。枠体の上部開口部には、枠体搬送用の吸着ノズルに吸着するノズル吸着面を持つ吸着パッド部が、縁枠壁部の複数の位置からそれぞれ伸長形成された梁部によって縁枠壁部に支持固定された状態で配設されている。吸着パッド部の配設位置は、縁枠壁部に上端位置よりも上側である。
【００１３】
この特許文献６に開示されたシールド部材の取り付け方法は、枠体の吸着パッド部のノズル吸着面を枠体搬送用の吸着ノズルで吸着した状態で枠体を回路基板のシールド対象領域に搬送して枠体を回路基板のシールド対象領域に配置させ、その後、梁部の縁枠壁部側の端部を縁枠壁部から切り離して当該梁部および吸着パッド部を縁枠壁部から切り取り、然る後に、梁部および吸着パッド部が除去された枠体の上部開口部を塞ぐ態様でシールドカバーを枠体に組合わせる。シールドカバーが枠体に組み合わされた後、枠体およびシールドカバーが半田等の導電性の接合材料によって回路基板に接合固定される。
【先行技術文献】
【特許文献】
【００１４】
【特許文献１】特開２００６−２３７９１７号公報
【特許文献２】特開２００６−２４５７１９号公報
【特許文献３】特開２００６−２３７９５１号公報
【特許文献４】特開２００６−３４４７１６号公報
【特許文献５】特開２００８−２８８５２３号公報
【特許文献６】特開２００６−３４４８１４号公報
【発明の概要】
【発明が解決しようとする課題】
【００１５】
上記特許文献４に開示されたシールドカバーでは、半田ごてによる手作業でシールドケースを回路基板の裏面に取り付けている。その結果、半田付け固着の工程が長くなって作業工数が増加するという問題がある。また、シールドケースを手作業で取り付けていたので、回路基板への熱ストレスが増加し、品質が不安定となるという問題もある。
【００１６】
一方、特許文献５では、自動部品搭載機（マウンタ）のホルダ（吸着ノズル）によりシールドカバーを保持している。したがって、作業工数を削減することは可能である。しかしながら、特許文献５に開示されたシールドカバーは、４角形の蓋状をしているので、その重量が重くなってしまう。その結果、自動部品搭載機（マウンタ）のホルダ（吸着ノズル）の吸着力を大きくする必要がある。換言すれば、自動部品搭載機（マウンタ）が大型になってしまう。
【００１７】
特許文献６では、シールドカバーの他に枠体も必要である。その結果、部品点数が増加するという問題がある。また、特許文献６では、シールドカバーが枠体に組み合わされた後に、枠体およびシールドカバーを半田等の導電性の接合材料によって回路基板に接合固定している。その結果、上記特許文献４と同様に、半田付け固着の工程が長くなって作業工数が増加し、回路基板への熱ストレスが増加し、品質が不安定となるという問題もある。
【００１８】
したがって、本発明の課題は、小型のマウンタを使用して、リフロー処理によりシールドカバーを回路基板の裏面に半田付け固着することができる、アンテナ装置、それに使用されるシールドカバー、およびアンテナモジュールの組立方法を提供することにある。
【課題を解決するための手段】
【００１９】
本発明の第１の態様によれば、互いに対向する主面（２１ａ）と裏面（２１ｂ）とを持つ回路基板(２１)と、前記回路基板（２１）の主面(２１ａ)上に搭載されて、電波を受信する平面アンテナ素子(２０)と、前記回路基板（２１）の裏面(２１ｂ)上に搭載されて、前記平面アンテナ素子(２０)と接続された信号処理回路(２３)と、前記回路基板（２１）の裏面（２１ｂ）上に取り付けられて、前記信号処理回路(２３)を電磁シールドするシールドカバー(２４；２４Ａ)と、該シールドカバー(２４；２４Ａ)と対向して配置されたボトムプレート（１２；１２Ａ；１２Ｂ）とを有するアンテナ装置（１０；１０Ａ；１０Ｂ）において、前記シールドカバー（２４；２４Ａ）は、前記回路基板（２１）の裏面（２１ｂ）から該回路基板(２１)の延在する平面と直角に延在する筒状の側壁部（２４２〜２４５，２４７）と、該側壁部の端で前記回路基板（２１）の延在する平面と平行に延在し、かつ前記ボトムプレート(１２；１２Ａ；１２Ｂ)と対向する天井部(２４１)とを備え、前記天井部（２４１）は、当該天井部(２４１)の中央部に設けられて、マウンタの吸着ノズル（５５）で吸着されるマウンタ吸着部（２４１−１）と、前記側壁部（２４２〜２４５，２４７）の端から前記側壁部(２４２〜２４５)の内側へ設けられたリング状の外縁部（２４１−２〜２４１−５）と、前記マウンタ吸着部(２４１−１)と前記外縁部（２４１−２〜２４１−５）とを繋ぐ複数本の梁部（２４１−６）とから成り、前記信号処理回路（２３）の電磁シールドを、前記シールドカバー(２４；２４Ａ)と前記ボトムプレート（１２；１２Ａ；１２Ｂ）との双方で行うようにしたことを特徴とするアンテナ装置(１０；１０Ａ；１０Ｂ)が得られる。
【００２０】
上記本発明の第１の態様によるアンテナ装置において、前記側壁部（２４２〜２４５）は矩形筒状をしており、前記外縁部（２４１−２〜２４１−５）は矩形リング状をしていてよい。前記複数本の梁部は、前記矩形リング状の外縁部（２４１−２〜２４１−５）の四隅から前記マウンタ吸着部（２４１−１）へ向けて延在するＸ字形の４本の梁部（２４１−６）から成ってよい。前記シールドカバー(２４；２４Ａ)の前記筒状の側壁部（２４２〜２４５，２４７）は、開口(２４２ａ)を持ってよい。この場合、前記アンテナ装置(１０；１０Ａ；１０Ｂ)は、前記開口(２４２ａ)を介して前記シールドカバー(２４；２４Ａ)内に先端部が挿入されて、前記回路基板(２１)の裏面(２１ｂ)上に半田付けされる同軸ケーブル（１６）を更に有する。前記シールドカバー(２４；２４Ａ)は、前記同軸ケーブル(１６)の先端部を保持するための保持片(２４６)を更に有してよい。
【００２１】
前記アンテナ装置(１０；１０Ｂ)は、前記電波として、ＧＰＳ衛星から送信されたＧＰＳ信号を受信するための汎地球測位システム（ＧＰＳ）アンテナ装置から成ってよい。或いは、前記アンテナ装置(１０Ａ)は、前記電波として、ＳＤＡＲＳ衛星から送信されたＳＤＡＲＳ信号を受信するための衛星デジタルラジオ放送サービス（ＳＤＡＲＳ）アンテナ装置から成ってよい。
【００２２】
本発明の第２の態様によれば、ボトムプレート(１２；１２Ａ；１２Ｂ)と対向して配置され、回路基板(２１)の裏面(２１ｂ)上に搭載された信号処理回路（２３）を電磁シールドするシールドカバー(２４；２４Ａ)であって、前記シールドカバー（２４；２４Ａ）は、前記回路基板(２１)の裏面(２１ｂ)から該回路基板(２１)の延在する平面と直角に延在する筒状の側壁部（２４２〜２４５，２４７）と、該側壁部(２４２〜２４５，２４７)の端で前記回路基板(２１)の延在する平面と平行に延在し、かつ前記ボトムプレート（１２；１２Ａ；１２Ｂ）と対向する天井部(２４１−１)とを備え、前記天井部(２４１)は、当該天井部（２４１）の中央部に設けられて、マウンタの吸着ノズル(５５)で吸着されるマウンタ吸着部（２４１−１）と、前記側壁部(２４２〜２４５，２４７)の端から前記側壁部（２４２〜２４５，２４７）の内側へ設けられたリング状の外縁部(２４１−２〜２４１−５)と、前記マウンタ吸着部（２４１−１）と前記外縁部（２４１−２〜２４１−５）とを繋ぐ複数本の梁部(２４１−６)とから成り、前記信号処理回路（２３）の電磁シールドを、前記シールドカバー(２４；２４Ａ)と前記ボトムプレート（１２；１２Ａ；１２Ｂ）との双方で行うようにしたことを特徴とするシールドカバーが得られる。
【００２３】
上記本発明の第２の態様によるシールドカバーにおいて、前記側壁部(２４２〜２４５)は矩形筒状をしており、前記外縁部（２４１−２〜２４１−５）は矩形リング状をしていてよい。前記複数本の梁部は、前記矩形リング状の外縁部(２４１−２〜２４１−５)の四隅から前記マウンタ吸着部（２４１−１）へ向けて延在するＸ字形の４本の梁部(２４１−６)から成ってよい。前記筒状の側壁部(２４２〜２４５，２４７)は、同軸ケーブル（１６）の先端部が挿入される開口（２４２ａ）を持ってよい。上記シールドカバー（２４；２４Ａ）は、前記同軸ケーブル(１６)の先端部を保持するための保持片（２４６）を更に有してよい。
【００２４】
本発明の第３の態様によれば、互いに対向する第１の面(２１ｂ)及び第２の面（２１ｂ）を持つ回路基板を用意する工程と、前記回路基板（２１）の第１の面（２１ｂ）上にマスク(５１)を使用して所定の箇所に半田ペースト（５３ａ，５３ｂ）を塗布する工程と、前記回路基板(２１)の第１の面(２１ｂ)上に信号処理回路を構成する複数の実装部品（２３）を実装する工程と、前記回路基板(２１)の第１の面（２１ｂ）上に、前記信号処理回路をシールドするためのシールドカバー(２４；２４Ａ)を吸着ノズル(５５)で吸着して搭載する工程であって、前記シールドカバー（２４；２４Ａ）は、前記回路基板(２１)の第１の面（２１ｂ）から該回路基板(２１)の延在する方向と直角に延在する筒状の側壁部（２４２〜２４５，２４７）と、該側壁部(２４２〜２４５，２４７)の端で前記回路基板（２１）の延在する方向と平行に延在する天井部（２４１）とを備え、前記天井部(２４１)は、当該天井部（２４１）の中央部に設けられて、前記吸着ノズル（５５）で吸着されるマウンタ吸着部(２４１−１)と、前記側壁部(２４２〜２４５，２４７)の端から前記側壁部（２４２〜２４５，２４７）の内側へ設けられたリング状の外縁部(２４１−２〜２４１−５)と、前記マウンタ吸着部（２４１−１）と前記外縁部(２４１−２〜２４１−５)とを繋ぐ複数の梁部（２４１−６）とから成る、工程と、リフロー処理により、前記複数の実装部品（２３）と前記シールドカバー(２４；２４Ａ)とを前記回路基板(２１)の第１の面(２１ｂ)上に半田付け固着する工程と、電波を受信する平面アンテナ素子（２０）を前記回路基板(２１)の第２の面（２１ａ）上に搭載して、前記平面アンテナ素子（２０）を前記信号処理回路(２３)と電気的に接続する工程と、を含むアンテナモジュールの組立方法が得られる。
【００２５】
上記本発明の第３の態様によるアンテナモジュールの組立方法において、前記シールドカバー（２４；２４Ａ）の前記側壁部（２４２〜２４５，２４７）は、同軸ケーブル（１６）の先端部が挿入される開口（２４２ａ）を持つことが好ましい。この場合、前記アンテナモジュールの組立方法は、前記開口(２４２ａ)を介して前記シールドカバー(２４；２４Ａ)内に挿入される前記同軸ケーブル（１６）の先端部で露出している中心導体（１６２）と外部導体（１６４）とを、前記回路基板（２１）の第１の面(２１ｂ)上に半田付けにより接続する工程を更に含んでよい。
【００２６】
尚、上記括弧内の符号は、本発明の理解を容易にするために付したものであり、一例にすぎず、これらに限定されないのは勿論である。
【発明の効果】
【００２７】
本発明では、ボトムプレートと対向して配置されるシールドカバーの天井部が、当該天井部の中央部に設けられて、マウンタの吸着ノズルで吸着されるマウンタ吸着部と、側壁部の端から側壁部の内側へ設けられたリング状の外縁部と、マウンタ吸着部と外縁部とを繋ぐ複数本の梁部とから成り、信号処理回路の電磁シールドを、シールドカバーとボトムプレートとの双方で行うようにしたので、小型のマウンタを使用して、リフロー処理によりシールドカバーを回路基板の裏面に半田付け固着することができるという効果を奏する。
【図面の簡単な説明】
【００２８】
【図１】従来のシールドカバーを示す図で、（Ａ）は従来のシールドカバーの全体の外観を示す外観斜視図であり、（Ｂ）は（Ａ）の二点鎖線の円で囲んだ部分の部分拡大図である。
【図２】図１に示した従来のシールドカバーを形成するための金属板の平面図である。
【図３】図１に示した従来のシールドカバーを、回路基板の裏面に半田付けにより取り付けた状態を示す底面図である。
【図４】本発明の第１の実施の形態に係るアンテナ装置の平面図である。
【図５】図４の線Ｖ−Ｖについての断面図である。
【図６】図５の分解断面図である。
【図７】図４に示したアンテナ装置に使用されるシールドカバーの斜視図である。
【図８】図４に示したアンテナ装置に用いられるアンテナモジュールの組立方法を説明するための工程を示す断面図である。
【図９】本発明の第２の実施の形態に係るアンテナ装置の分解斜視図である。
【図１０】本発明の第３の実施の形態によるアンテナ装置の概略分解図である。
【図１１】図１０に示したアンテナ装置に使用されるパッキン部材を示す図で、（ａ）はパッキン部材の平面図であり、（ｂ）はパッキン部材の正面図であり、（ｃ）はパッキン部材の右側面図であり、（ｄ）はパッキン部材の背面図であり、（ｅ）はパッキン部材の底面図であり、（ｆ）は図１１（ａ）のＡ−Ａ線での断面図であり、（ｇ）は図１１（ａ）のＢ−Ｂ線での断面図である。
【図１２】図１０に示したアンテナ装置に使用されるボトムプレートを示す図で、（ａ）はボトムプレートの底面図であり、（ｂ）はボトムプレートの正面図であり、（ｃ）はボトムプレートの側面図であり、（ｄ）は図１２（ａ）のＡ−Ａ線での断面図である。
【図１３】図１１に示したパッキン部材と図１２に示したボトムプレートとを組合わせた状を示す底面図である。
【発明を実施するための形態】
【００２９】
以下、図面を参照して、本発明の実施の形態について詳細に説明する。
【００３０】
図１および図２を参照して、本発明の理解を容易するために、上記特許文献４に開示されている、従来のシールドカバー２４’について説明する。図１において、（Ａ）はシールドカバー２４’の全体の外観を示す外観斜視図であり、（Ｂ）は（Ａ）の二点鎖線の丸で囲んだ部分の部分拡大図である。図２は従来のシールドカバー２４’を形成するための金属板４０の平面図である。
【００３１】
図１および図２では、直交座標系（Ｘ，Ｙ，Ｚ）を採用している。図１および図２に図示した状態では、Ｘ軸方向は前後方向（奥行き方向）であり、Ｙ軸方向は左右方向（幅方向、横方向）であり、Ｚ軸方向は上下方向（高さ方向）である。
【００３２】
金属板４０は、前後方向Ｘに延びる中心線ＣＬに関して左右対称の形状をしている。詳述すると、金属板４０は、四隅が面取りされたほぼ方形の天井部２４１’と、この天井部２４１’の四辺に形成された４つの側壁部２４２、２４３、２４４、及び２４５とを有する。４つの側壁部２４２、２４３、２４４、および２４５は、それぞれ、前側壁部、後側壁部、右側壁部、左側壁部と呼ばれる。前側壁部２４２は、中心線ＣＬを境にして互いに離間した一対の前側壁片から構成され、それらの間に開口（同軸ケーブル挿入孔）２４２ａが空いている。また、一対の前側壁部２４２の間には、同軸ケーブル（図示せず）を保持するための保持片２４６が形成されている。
【００３３】
金属板４０は、その四隅に４つの角部２４７を更に有する。各角部２４７は、その両端に隣り合う側壁部と重なる延長部２４８を有する。
【００３４】
これら前側壁部２４２、後側壁部２４３、右側壁部２４４、左側壁部２４５、保持片２４６、および４つの角部２４７を、天井部２４１’に対して二点鎖線に沿って直角に（図２の紙面に対して裏側へ直角に）折り曲げ、更に延長部２４８を隣接する側壁部側へ鎖線に沿って直角に折り曲げることによって、図１（Ａ）に示されるようなシールドカバー２４’が形成される。
【００３５】
図３は、従来のシールドカバー２４’を、回路基板（プリント配線基板）２１の裏面２１ｂに半田２５付けにより取り付けた状態を示す底面図である。図３に示されるように、シールドカバー２４’は、４つの角部２４７で回路基板（プリント配線基板）２１の裏面２１ｂ上に半田２５付けすることにより、回路基板（プリント配線基板）２１の裏面２１ｂ上に取り付けられる。すなわち、回路基板（プリント配線基板）２１の裏面２１ｂ上へのシールドカバー２４’の取り付けを、半田ごてによる手作業で行っている。
【００３６】
このようにシールドカバー２４’は、その四隅で回路基板２１の裏面２１ｂ上に半田２５付けされるので、シールドカバー２４’の縦横寸法を、回路基板２１の縦横寸法に実質的に等しい程度にまで大きくすることができる。シールドカバー２４の折り合わせ部には隙間がない。換言すれば、４つの側壁部２４２〜２４５と４つの角部２４７との間に隙間がない。
【００３７】
このように、上記特許文献４に開示された従来のシールドカバー２４’では、半田ごてによる手作業でシールドケース２４’を回路基板２１の裏面２１ｂに取り付けている。その結果、前段で述べたように、半田付け固着の工程が長くなって作業工数が増加するという問題がある。また、シールドケース２４’を手作業で取り付けていたので、前段で述べたように、回路基板２１への熱ストレスが増加し、品質が不安定となるという問題もある。
【００３８】
図４乃至図６を参照して、本発明の第１の実施の形態に係るアンテナ装置１０について説明する。図示のアンテナ装置１０は、ＧＰＳ信号受信用のアンテナ装置である。図４はアンテナ装置１０の平面図である。図５は図４の線Ｖ−Ｖについての断面図である。図６は図５の分解断面図である。
【００３９】
図１および図２では、直交座標系（Ｘ，Ｙ，Ｚ）を採用している。図１および図２に図示した状態では、Ｘ軸方向は前後方向（奥行き方向）であり、Ｙ軸方向は左右方向（幅方向、横方向）であり、Ｚ軸方向は上下方向（高さ方向）である。
【００４０】
アンテナ装置１０は、アンテナケース１３と、アンテナモジュール１４と、パッキン部材（ガスケット）１５と、信号線（同軸ケーブル）１６とを備える。アンテナケース１３はドーム状のトップカバー１１とボトムプレート１２とから構成される。アンテナモジュール１４はトップカバー１１内に収納される。パッキン部材（ガスケット）１５は、トップカバー１１とボトムプレート１２との間に配設されてアンテナケース１３の密着性を確保するためのものである。尚、パッキン部材（ガスケット）１５は、防水機能をも果たすので、防水パッキンとも呼ばれる。信号線（同軸ケーブル）１６はアンテナモジュール１４に接続される。
【００４１】
アンテナモジュール１４は、平面アンテナ素子２０と回路基板（プリント配線基板）２１とを有する。平面アンテナ素子２０には、ＧＰＳ衛星から送信されたＧＰＳ信号を受信するアンテナが形成されている。図示の平面アンテナ素子２０は、パッチアンテナ素子から構成されている。回路基板２１は互いに対向する主面２１ａと裏面２１ｂとを持つ。回路基板２１の主面２１ａ上に平面アンテナ素子２０が搭載される。回路基板２１の裏面２１ｂには、この平面アンテナ素子２０によって受信したＧＰＳ信号に対して信号増幅などの各種信号処理を施す信号処理回路（後述する）が搭載されている。平面アンテナ素子２０と回路基板２１の主面２１ａとは、両面テープ（図示せず）などによって接合されている。
【００４２】
回路基板２１の裏面２１ｂには、ＧＰＳ信号をアンテナケース１３の外部に取り出すための信号線（同軸ケーブル）１６が接続される。また、回路基板２１の裏面２１ｂには、上記信号処理回路を電磁シールドするためのシールドカバー２４が取り付けられている。信号線（同軸ケーブル）１６は、トップカバー１１に形成された切欠部１１ａを介して外部に引き出される。
【００４３】
アンテナ装置１０は、トップカバー１１の内部空間にアンテナモジュール１４及びパッキン部材（ガスケット）１５が収納された状態で、このトップカバー１１とボトムプレート１２とが複数本の螺子２６（図６では２本の螺子のみ図示する）によって螺子止めされることにより接合一体化される。
【００４４】
パッキン部材（ガスケット）１５は、例えばシリコーンゴムなどの樹脂材料によって形成されている。
【００４５】
図５および図６から明らかなように、図示のアンテナ装置１０においては、シールドカバー２４の直下にボトムプレート１２が存在する。換言すれば、アンテナモジュール１４をアンテナケース１３内に収容したとき、シールドカバー２４に対向してボトムプレート１２が配置されることになる。したがって、後述するように、シールドカバー２４の天井部に穴（開口部）が空いていても、ボトムプレート１２で蓋をされる構造となっている。従って、上記信号処理回路の電磁シールドは、ボトムプレート１２とシールドカバー２４との双方で行われる。
【００４６】
図７を参照して、図４乃至図６に示したアンテナ装置１０に使用されるシールドカバー２４の構成について説明する。
【００４７】
図示のシールドカバー２４は、後述するように、天井部の構成が主に相違している点を除いて、図１および図２に示したシールドカバー２４’と同様の構成を有している。したがって、天井部に２４１の参照符号を付してある。シールドカバー２４において、図１および図２に示したシールドカバー２４’と同様の機能を有するものには、同一の参照符号を付してある。
【００４８】
シールドカバー２４は、従来のシールドカバー２４’と異なり、４つの角部２４７と延長部２４８とがない。したがって、シールドカバー２４では、前側壁部２４２、後側壁部２４３、右側壁部２４４、および左側壁部２４５から成る側壁部（２４２〜２４５）は、実質的に矩形筒状をしている。この側壁部（２４２〜２４５）は、回路基板２１の裏面２１ｂからこの回路基板２１の延在する平面（Ｘ−Ｙ平面）と直角（上下方向Ｚ）に延在している。
【００４９】
天井部２４１は、これら矩形筒状の側壁部２４２〜２４５の端で回路基板２１の延在する平面（Ｘ−Ｙ平面）と平行に延在し、かつボトムプレート１２と対向して配置される。
【００５０】
天井部２４１は、マウンタ吸着部２４１−１と、前外縁部２４１−２と、後外縁部２４１−３と、右外縁部２４１−４と、左外縁部２４１−５と、４本の梁部２４１−６とから構成されている。
【００５１】
前外縁部２４１−２は、前側壁部２４２の端から前側壁部２４２の内側へ設けられている。後外縁部２４１−３は、後側壁部２４３の端から後側壁部２４３の内側へ設けられている。右外縁部２４１−４は、右側壁部２４４の端から右側壁部２４４の内側へ設けられている。左外縁部２４１−５は、左側壁部２４５の端から左側壁部２４５の内側へ設けられている。従って、前外縁部２４１−２、後外縁部２４１−３、右外縁部２４１−４、および左外縁部２４１−５から成る外縁部（２４１−２〜２４１−５）は、矩形リング状をしている。
【００５２】
マウンタ吸着部２４１−１は、天井部２４１の中央部に設けられて、マウンタの吸着ノズル（後述する）で吸着される部分である。４本の梁部２４１−６は、マウンタ吸着部２４１−１と外縁部（２４１−２〜２４１−５）とを繋ぐ。図示の例では、４本の梁部２４１−６は、矩形リング状の外縁部（２４１−２〜２４１−５）の四隅からマウンタ吸着部２４１−１へ向けて延在するＸ字形をしている。
【００５３】
図示の実施の形態では、側壁部（２４２〜２４５）は矩形筒状をしているが、側壁部は他の形の筒状をしていてもよい。同様に、図示の実施の形態では、外縁部（２４１−２〜２４１−５）は矩形リング状をしているが、外縁部は他の形のリング状をしていてもよい。さらに、図示の実施の形態では、梁部２４１−６は４本から成るが、梁部の本数は４本に限定されず、梁部は複数本あればよい。また、図示の実施の形態では、梁部２４１−６はＸ字形をしているが、梁部は十字形など他の形をしていてもよいのは勿論である。
【００５４】
このように、図示のシールドカバー２４は、天井部２４１に開口部を有する形状をしているので、従来のシールドカバー２４’と比較して、その重量を軽くすることができる。その結果、小型のマウンタの吸着ノズルを用いて、シールドカバー２４を吸着することが可能となる。したがって、後述するように、小型のマウンタを使用して、リフロー処理により、シールドカバー２４を回路基板２１の裏面２１ｂ上に半田付け固着することができる。
【００５５】
また、本実施の形態に係るアンテナ装置１０では、上述したように、信号処理回路の電磁シールドは、ボトムプレート１２とシールドカバー２４との双方で行われるので、上記特許文献６に開示されているような、シールドカバーと枠体とから成るシールド部材を使用する必要がない。すなわち、ボトムプレート１２が電磁シールドの役目をも果たしているので、信号処理回路を電磁シールドするために、シールドカバー２４の他に更に別のシールド専用部品を必要としない。
【００５６】
次に、図８を参照して、アンテナ装置１０に用いられるアンテナモジュール１４の組立方法について説明する。
【００５７】
先ず、図８（Ａ）に示されるように、互いに対向する第１の面２１ｂ及び第２の面２１ａを持つ回路基板２１を用意する。ここで、第１の面２１ｂは回路基板２１の裏面であり、第２の面２１ａは回路基板２１の表面であることに注意されたい。尚、回路基板２１の第１の面（裏面）２１ａには、上記信号処理回路を構成する複数の実装部品（後述する）の端子が接続される複数の電極パッド（図示せず）と、シールドカバー２４の側壁部（２４２〜２４５）の端辺が接続されるシールドパッド（図示せず）とが形成されている。
【００５８】
引き続いて、図８（Ｂ）に示されるように、回路基板２１の第１の面２１ｂ上にマスク５１を搭載する。このマスク５１には、上記複数の電極パッドと対応する位置に穿設された複数の電極パッド用穴５１ａと、上記シールドパッドと対応する位置に穿設されたシールドパッド用穴５１ｂとが形成されている。
【００５９】
次に、図８（Ｃ）に示されるように、マスク５１の上記複数の電極パッド用穴５１ａおよび上記シールドパッド用穴５１ｂを介して、それぞれ、半田ペースト５３ａおよび５３ｂを、上記複数の電極パッド上および上記シールドパッド上に塗布する。そして、マスク５１を回路基板２１の第１の面（裏面）２１ｂから剥がす。
【００６０】
このようにして、マスク５１を使用して、回路基板２１の第１の面（裏面）２１ｂ上の所定の箇所（電極パッドおよびシールドパッド）に半田ペースト５３ａおよび５３ｂが塗布される。
【００６１】
次に、図８（Ｄ）に示されるように、小型のマウンタの吸着ノズル５５で、信号処理回路を構成する複数の実装部品２３を吸着して、複数の実装部品２３を回路基板２１の第１の面２１ｂ上に実装する。このとき、複数の実装部品２３の端子は、半田ペースト５３ａを介して複数の電極パッドと接続される。
【００６２】
引き続いて、図８（Ｄ）および図８（Ｅ）に示されるように、小型のマウンタの吸着ノズル５５で、シールドカバー２４のマウンタ吸着部２４１−１（図７）を吸着して、シールドカバー２４を回路基板２１の第１の面２１ｂ上に搭載する。このとき、図８（Ｅ）に示されるように、シールドカバー２４の側壁部（２４２〜２４５）の端辺は、半田ペースト５３ｂを介してシールドパッドと接続される。
【００６３】
次に、図８（Ｆ）に示されるように、リフロー処理により、複数の実装部品２３とシールドカバー２４とを回路基板２１の第１の面２１ｂ上に半田付け固着する。
【００６４】
引き続いて、図８（Ｆ）に示されるように、電波を受信する平面アンテナ素子２０を回路基板２１の第２の面（表面）２１ａ上に搭載する。そして、平面アンテナ素子２０の給電ピン２０１を、回路基板２１の第１の面２１ｂのパターン（図示せず）と半田５７により接続する。これにより、平面アンテナ素子２０と信号処理回路（実装部品２３）とは電気的に接続される。
【００６５】
最後に、図８（Ｇ）に示されるように、同軸ケーブル（信号線）１６の先端部を、シールドカバー２４の開口（同軸ケーブル挿入孔）２４２ａを介して、回路基板２１の第１の面（裏面）２１ｂ上に挿入（搭載）して、同軸ケーブル１６の先端部で露出している中心導体１６２と外部導体１６４とを、回路基板２１の第１の面２１ｂ上に半田５９付けする。このとき、半田５９により、同軸ケーブル１６の外部導体１６４は、シールドカバー２４の保持片２４６とも電気的に接続される。これにより、シールドカバー２４と同軸ケーブル１６の外部導体１６４とは同電位となる。
【００６６】
このように、本実施の形態では、小型のマウンタを使用して、リフロー処理により、シールドカバー２４を回路基板２１の裏面２１ｂ上に半田５３ｂ付け固着することができる。
【００６７】
また、シールドカバー２４の天井部２４１には開口部があるので、シールドカバー２４を回路基板２１の裏面２１ｂ上に半田５３ｂ付け固着した後で、平面アンテナ素子２０の給電ピン２０１と同軸ケーブル１６とを、回路基板２１の裏面２１ｂ上に半田５７および５９付けすることが可能となる。
【００６８】
図９を参照して、本発明の第２の実施の形態に係るアンテナ装置１０Ａについて説明する。図示のアンテナ装置１０Ａは、ＳＤＡＲＳ信号受信用のアンテナモジュール１４Ａと、バーアンテナ６０とを複合した複合アンテナ装置である。図９は複合アンテナ装置１０Ａの分解斜視図である。
【００６９】
アンテナモジュール１４Ａは、シールドカバーの構成が図７に示したものから後述するように変更されている点を除いて、図６に示したものと同様の構成を揺する。したがって、シールドカバーに２４Ａの参照符号を付している。
【００７０】
シールドカバー２４Ａは、側壁部の構成が後述するように変更されている点を除いて、図７に示したシールドカバー２４と同様の構成を有する。
【００７１】
すなわち、図７に示したシールドカバー２４の側壁部は、前側壁部２４２、後側壁部２４３、右側壁部２４４、および左側壁部２４５のみから構成されているが、図９に示したシールドカバー２４Ａの側壁部は、これら４つの側壁部（２４２〜２４５）に加えて更に４つの角部２４７を更に備えている。
【００７２】
複合アンテナ装置１０Ａは、ドーム状のトップカバー１１Ａとボトムプレート１２Ａとから成るアンテナケース１３Ａを備える。アンテナモジュール１４Ａはトップカバー１１Ａ内に収納される。図示のボトムプレート１２Ａは、ダイカストで鋳造されている。
【００７３】
図示の複合アンテナ装置１０Ａにおいても、シールドカバー２４Ａの直下にボトムプレート１２Ａが存在する。換言すれば、アンテナモジュール１４Ａをアンテナケース１３Ａ内に収容したとき、シールドカバー２４Ａに対向してボトムプレート１２Ａが配置されることになる。したがって、シールドカバー２４Ａの天井部２４１（図７参照）に穴（開口部）が空いていても、ボトムプレート１２Ａで蓋をされる構造となっている。従って、信号処理回路の電磁シールドは、ボトムプレート１２Ａとシールドカバー２４Ａとの双方で行われる。
【００７４】
バーアンテナ６０は、トップカバー１１Ａに装着される。バーアンテナ６０は、ＡＭ／ＦＭラジオ帯の電波を受信すると共に、セルラー用の電波を送受信するアンテナである。
【００７５】
トップカバー１１Ａ内には、第２の回路基板６２も収容されている。この第２の回路基板６２には、ＡＭ／ＦＭラジオ用ブースタ回路が搭載される。ボトムプレート１２Ａの主面１２Ａａから３つのネジボス１２２が立設している。この３つのネジボス１２２上に、第２の回路基板６２が３本のネジ６４によって固定される。したがって、第２の回路基板６２は、ボトムプレート１２Ａの主面１２Ａａから離間して配置される。
【００７６】
また、ボトムプレート１２Ａの前方側で、その主面１２Ａａから１つのネジボス１２４が立設している。また、ボトムプレート１２Ａには、左右両側に４つのネジ穴１２６が穿設されている。
【００７７】
ボトムプレート１２Ａの下部にベースパッド６６が取り付けられる。上記１つのネジボス１２４と上記４つのネジ穴１２６とに対応する位置に、ベースパッド６６は５つの貫通穴６６２を持つ。ベースパッド６６側からボトムプレート１２Ａへ５本のネジ６８を挿入（螺合）することによって、ボトムプレート１２Ａはトップカバー１１Ａに螺子止めされて固定される。
【００７８】
また、ボトムプレート１２Ａは、その下面から下方へ延出する円筒状のボルト１２８を有する。ベースパッド６６は、このボルト１２８が貫通する貫通穴６６４を持つ。
【００７９】
図示しない自動車等の車体（移動体）の屋根には、上記ボルト１２８が貫通する開口が空けられている。この開口から突出したボルト１２８にナット（図示せず）を螺合することにより、複合アンテナ装置１０Ａは、移動体（車体）の屋根に固定される。
【００８０】
尚、シールドカバー２４Ａ内に先端部が挿入（固着）されている信号線（同軸ケーブル）（図示せず）は、上記円筒状のボルト１２８を介して車体（移動体）の内部へ引き回される。また、上記ＡＭ／ＦＭラジオ用ブースタ回路に接続された信号線やセルラー用アンテナの信号線も、上記円筒状のボルト１２８を介して車体（移動体）の内部へ引き回される。
【００８１】
図１０を参照して、本発明の第３の実施の形態に係るアンテナ装置１０Ｂについて説明する。図示のアンテナ装置１０Ｂは、ＧＰＳ信号受信用のアンテナ装置である。
【００８２】
図示のアンテナ装置１０Ｂは、パッキン部材（ガスケット）とボトムプレートとが後述するように変更されている点を除いて、図４乃至図６に示したアンテナ装置１０と同様の構成を有する。したがって、パッキン部材（ガスケット）およびボトムプレートに、それぞれ、１５Ａおよび１２Ｂの参照符号を付してある。図４乃至図６に示したアンテナ装置１０と同様の構成要素には同一の参照符号を付し、以下では説明の簡略化のために重複した説明については省略する。
【００８３】
ドーム状のトップカバー１１とボトムプレート１２Ｂとの組み合わせによって、アンテナケース１３Ｂが構成される。平面アンテナ素子２０と回路基板２１の主面２１ａとは、両面テープ２２などによって接合されている。
【００８４】
アンテナ装置１０Ｂは、トップカバー１１の内部空間にアンテナモジュール１４およびパッキン部材（ガスケット）１５Ａが収納された状態で、このトップカバー１１とボトムプレート１２Ｂとが３本の螺子２６によって螺子止めされることにより一体化される。
【００８５】
図１１を参照して、パッキン部材（ガスケット）１５Ａの構成について更に詳細に説明する。図１１において、（ａ）はパッキン部材（ガスケット）１５Ａの平面図であり、（ｂ）はパッキン部材（ガスケット）１５Ａの正面図であり、（ｃ）はパッキン部材（ガスケット）１５Ａの右側面図であり、（ｄ）はパッキン部材（ガスケット）１５Ａの背面図であり、（ｅ）はパッキン部材（ガスケット）１５Ａの底面図であり、（ｆ）は（ａ）のＡ−Ａ線での断面図であり、（ｇ）は（ａ）のＢ−Ｂ線での断面図である。
【００８６】
パッキン部材（ガスケット）１５Ａは、アンテナモジュール１４の全面を覆うベース部１５ａと、トップカバー１１に形成された切欠部１１ａ（図４参照）の位置で信号線（同軸ケーブル）１６の外周を覆うガスケット部１５ｂとを有する。
【００８７】
ベース部１５ａは凹部１５ｃを有する。アンテナモジュール１４はこの凹部１５ｃによって位置決めされる。凹部１５ｃの外形状はアンテナモジュール１４の底面部全体をほぼ覆う形状とされている。
【００８８】
パッキン部材（ガスケット）１５Ａは、トップカバー１１とボトムプレート１２Ｂとが接合された際に、トップカバー１１とボトムプレート１２Ｂによって挟持され、接合部における気密性を確保する目的で配設されている。ガスケット部１５ｂは、トップカバー１１における切欠部１１ａに対応する位置で、ベース部１５ａから立ち上がり形成される。ガスケット部１５ｂは、中央部に信号線（同軸ケーブル）１６を挿通するための孔部１５ｄを持つ。
【００８９】
パッキン部材（ガスケット）１５Ａは、孔部１５ｄの下側から外方へ延在する凸部１５ｅを有する。この凸部１５ｅは、信号線（同軸ケーブル）１６の下側に当接して防水構造を成す。凸部１５ｅは、トップカバー１１の切欠き部１１ａから外部に露出するように設けられて、アンテナ本体表面の一部を形成している。パッキン部材１５は、更に、ベース１５ａの下面に設けられた４本の突起部（足）１５ｆを持つ。これら突起部（足）１５ｆは、ボトムプレート１２Ｂ、樹脂シート３１を貫通してアンテナ本体の底面から露出している。これら突起部（足）１５ｆはアンテナ本体を自動車のルーフに置いた際のすべり止めとなる。
【００９０】
図１２を参照して、ボトムプレート１２Ｂの構成について説明する。図１２において、（ａ）はボトムプレート１２Ｂの底面図であり、（ｂ）はボトムプレート１２Ｂの正面図であり、（ｃ）はボトムプレート１２Ｂの側面図であり、（ｄ）は（ａ）のＡ−Ａ線での断面図である。
【００９１】
ボトムプレート１２Ｂには、中央部に単一の凹部１２ａが形成されている。この凹部１２ａに永久磁石３０が配設される。この永久磁石３０は、自動車のルーフにアンテナ装置１０Ｂを吸着固定させるために配設されるものである。ボトムプレート１２Ｂは、パッキン部材（ガスケット）１５Ａの上記４本の突起部（足）１５ｆを貫通するための４つの貫通穴１２ｂを持つ。また、ボトムプレート１２Ｂは、３本の螺子２６を通すための穴１２ｃをも持つ。
【００９２】
図１０に示されるように、ボトムプレート１２Ｂの外方に臨む側の主面には、当該主面の略全面に渡って、自動車のルーフへの傷付き防止を目的とした樹脂シート３１が貼り付けられる。この樹脂シート３１には、当該アンテナ装置１０Ｂの型番号や名称などがプリントされる。
【００９３】
図１３にボトムプレート１２Ｂとパッキン部材（ガスケット）１５Ａとを組合わせた状態を示す。図１３から分かるように、ボトムプレート１２Ｂに形成された貫通穴１２ｂの径は、パッキン部材（ガスケット）１５Ａの突起部（足）１５ｆの径より大きい。
【００９４】
また、この突起部（足）１５ｆの長さは、たとえ当該突起部（足）１５ｆが横方向へ弾性変形したとしても、貫通穴１２ｂの角に突起部（足）１５ｆが当たらない程度に短くされている。また、図１１に示されるように、突起部（足）１５ｆの先端部はＲ形状（丸い形状）にされている。
【００９５】
このような構成により、たとえ突起部（足）１５ｆが横方向へ弾性変形しても、ボトムプレート１２Ｂの貫通穴１２ｂの角にパッキン部材（ガスケット）１５Ａの突起部（足）１５ｆが当たることなく、突起部（足）１５ｆがボトムプレート１２Ｂの貫通穴１２ｂに逃げて行くことになるから、アンテナ組立の際の作業性が良くなる。
【００９６】
図１１（ｆ）および（ｇ）から明らかなように、パッキン部材（ガスケット）１５Ａにおけるベース部１５ａの凹部１５ｃの厚さは、非常に薄い。例えば、その凹部１５ｃの厚さは０．２〜０．５ｍｍ程度である。
【００９７】
したがって、この薄いパッキン部材（ガスケット）１５Ａの凹部１５ｃを介して、シールドカバー２４とボトムプレート１２Ｂとが互いに対向して配置されることになる。したがって、本実施の形態に係るアンテナ装置１０Ｂにおいても、上記信号処理回路の電磁シールドを、ボトムプレート１２Ｂとシールドカバー２４との双方で行うことが可能となる。
【００９８】
以上、本発明について好ましい実施の形態によって説明してきたが、本発明は上述した実施の形態に限定しないのは勿論である。例えば、上記実施の形態において説明したアンテナ装置は、ＧＰＳ信号受信用のアンテナ装置やＳＤＡＲＳ信号受信用のアンテナ装置に適しているが、これに限定される訳ではなく、他の衛星波、地上波、その他の電波を受信するための移動体通信用のアンテナ装置としても適用可能である。
【符号の説明】
【００９９】
１０、１０Ａ、１０Ｂ    アンテナ装置
１１、１１Ａ    トップカバー
１２、１２Ａ、１２Ｂ    ボトムプレート
１３、１３Ａ、１３Ｂ    アンテナケース
１４、１４Ａ    アンテナモジュール
１５、１５Ａ    パッキン部材（ガスケット）
１６    信号線（同軸ケーブル）
２０    平面アンテナ素子
２１    回路基板
２１ａ    回路基板の主面
２１ｂ    回路基板の裏面
２２    両面テープ
２４、２４Ａ    シールドカバー
２４１    天井部
２４１−１    マウンタ吸着部
２４１−２〜２４１−５    矩形リング状の外縁部
２４１−６    梁部
２４２〜２４５    矩形筒状の側壁部
２４２ａ    開口（同軸ケーブル挿入孔）
２４６    保持片
２４７    角部
【図１】
2011010228.tif 000003
【図２】
2011010228.tif 000004
【図３】
2011010228.tif 000005
【図４】
2011010228.tif 000006
【図５】
2011010228.tif 000007
【図６】
2011010228.tif 000008
【図７】
2011010228.tif 000009
【図８】
2011010228.tif 000010
【図９】
2011010228.tif 000011
【図１０】
2011010228.tif 000012
【図１１】
2011010228.tif 000013
【図１２】
2011010228.tif 000014
【図１３】
2011010228.tif 000015